(57)【要約】      （修正有）【課題】保護シートの紛失防止と使い勝手の良い化粧用コンパクト容器を提供する。【解決手段】蓋の内側と化粧料受皿３との間に保護シート１を設けた化粧用コンパクト容器５であって、化粧料受皿３の外形は円形であり、保護シート１は、化粧料受皿３の表面側に配置される表シート１１と化粧料受皿３の裏面側に配置される裏シート１３と、表シート１１と裏シート１３を接続する連結部１２を有し、表シート１１は円形であり、裏シート１３は中央部に中央開口１５を有する円形又は切欠を有する円形であり、化粧料受皿３の裏面と容器本体５３は、軸部材を介して接続されており、裏シート１３に設けられた中央開口１５が軸部材に嵌っていて、保護シート１が回動自由に設置されていることを特徴とする化粧用コンパクト容器５。【選択図】図１
2020010730.tif 000002
【特許請求の範囲】
【請求項１】
蓋の内側と化粧料受皿との間に保護シートを設けた化粧用コンパクト容器であって、
化粧料受皿の外形は円形であり、
保護シートは、化粧料受皿の表面側に配置される表シートと化粧料受皿の裏面側に配置される裏シートと、表シートと裏シートを接続する連結部を有し、
表シートは円形であり、裏シートは中央部に中央開口を有する円形又は切欠を有する円形であり、
化粧料受皿の裏面と容器本体は、軸部材を介して接続されており、
裏シートに設けられた中央開口が軸部材に嵌っていて、保護シートが回動自由に設置されていることを特徴とする化粧用コンパクト容器。
【請求項２】
軸部材は、厚みのある接合部材、化粧料受皿裏面に形成された凸状部、及び容器本体に形成された凸状部のいずれかであることを特徴とする請求項１記載の化粧用コンパクト容器。
【請求項３】
接合部材は、緩衝性材料であることを特徴とする請求項２記載の化粧用コンパクト容器。
【請求項４】
表シートと裏シートと、表シートと裏シートを接続する連結部を有する化粧用コンパクト容器用の保護シートであって、
保護シートの厚さは、化粧用コンパクト容器の軸部材の長さよりも薄く、
表シートは円形であり、裏シートは中央部に中央開口を有する円形又は切欠を有する円形であることを特徴とする化粧用コンパクト用の保護シート。
【請求項５】
請求項１又は２記載の化粧料受皿用のレフィル容器を収納したレフィル容器包装材において、
収納される化粧料受皿は、裏面に軸部材が形成された化粧料受皿であり、
レフィル容器包装材の底面には軸部材が入る凹部が形成されており、軸部材が該凹部に収納された状態で収納されていることを特徴とするレフィル容器包装材。
【発明の詳細な説明】
【技術分野】
【０００１】
本発明は、化粧用コンパクト容器に関する。特に、保護シートを備えた化粧用コンパクト容器に関する。
【背景技術】
【０００２】
コンパクト容器の蓋と化粧料収納中皿との間に保護シートを配置したコンパクト容器が提案されている。蓋の内側の鏡に化粧料が付着しないように保護シートを設けたコンパクト容器が提案されており、保護シートをコンパクト容器から取り除けないようにした形態も提案されている。
特許文献１（実開昭５８−４９６２０号公報）には、保護シートの一部を化粧料受皿の裏面側に折り曲げて固定して一体化することによって、保護シートが紛失しないようにしたコンパクトが提案されている。
特許文献２（実開昭６２−７９０９号公報）には、保護シートに折り返した挟持部を設け、挟持部に開口部を設け、開口部を通して化粧料受皿とコンパクトケース本体を接着して、保護シートの紛失を防止する技術が開示されている。この文献には、角形シートと円形シートが記載されており、保護シートを回転可能にすることは記載されていない。
【０００３】
特許文献３（特開２００４−２５５０６１号公報）には、折り返して表裏２シートを有する保護シートであって、裏シートに情報表示部を設けた保護シートが開示されている。
特許文献４（特開２０１４−２３３４５４号公報）には、保護シートの側縁に設けた鉛直部を化粧料収納部側壁部に取り付けた保護シート付化粧用コンパクトケースが開示されている。
特許文献５（特許第６０４５６４１号公報）には、折り返した一方の面を鏡の裏側に配置した保護シート付の化粧容器が開示されている。
【先行技術文献】
【特許文献】
【０００４】
【特許文献１】実開昭５８−４９６２０号公報
【特許文献２】実開昭６２−７９０９号公報
【特許文献３】特開２００４−２５５０６１号公報
【特許文献４】特開２０１４−２３３４５４号公報
【特許文献５】特許第６０４５６４１号公報
【発明の概要】
【発明が解決しようとする課題】
【０００５】
本発明は、保護シートの紛失防止と使い勝手のよい化粧用コンパクト容器を開発することを目的とする。
保護シートを設けた化粧用コンパクトにおいて、保護シートの開閉の向きが固定されたものでは、左利き、右利きなどの利用者の個性などに対応しておらず、利便性に不足している。本発明はこのような不便性を解消し、利用者の好みに応じた使い勝手を提供する。
【課題を解決するための手段】
【０００６】
本発明は、化粧料受皿とコンパクト容器本体の間に隙間ができるように軸部材を介して両者を取り付け、軸部材に保護シートに設けた開口を嵌めることによって、保護シートが回動自由になるようにしたものである。
本発明の主な構成は次のとおりである。
（１）蓋の内側と化粧料受皿との間に保護シートを設けた化粧用コンパクト容器であって、
化粧料受皿の外形は円形であり、
保護シートは、化粧料受皿の表面側に配置される表シートと化粧料受皿の裏面側に配置される裏シートと、表シートと裏シートを接続する連結部を有し、
表シートは円形であり、裏シートは中央部に中央開口を有する円形又は切欠を有する円形であり、
化粧料受皿の裏面と容器本体は、軸部材を介して接続されており、
裏シートに設けられた中央開口が軸部材に嵌っていて、保護シートが回動自由に設置されていることを特徴とする化粧用コンパクト容器。
（２）軸部材は、厚みのある接合部材、化粧料受皿裏面に形成された凸状部、及び容器本体に形成された凸状部のいずれかであることを特徴とする（１）記載の化粧用コンパクト容器。
（３）接合部材は、緩衝性材料であることを特徴とする（２）記載の化粧用コンパクト容器。
（４）表シートと裏シートと、表シートと裏シートを接続する連結部を有する化粧用コンパクト容器用の保護シートであって、
保護シートの厚さは、化粧用コンパクト容器の軸部材の長さよりも薄く、
表シートは円形であり、裏シートは中央部に中央開口を有する円形又は切欠を有する円形であることを特徴とする化粧用コンパクト用の保護シート。
（５）（１）又は（２）記載の化粧料受皿用のレフィル容器を収納したレフィル容器包装材において、
収納される化粧料受皿は、裏面に軸部材が形成された化粧料受皿であり、
レフィル容器包装材の底面には軸部材が入る凹部が形成されており、軸部材が該凹部に収納された状態で収納されていることを特徴とするレフィル容器包装材。
【発明の効果】
【０００７】
１．本発明は、保護シートの裏シートに設けられた中央開口が軸部材を中心に回動自由に設けられているので、保護シートの紛失防止と使い勝手のよい化粧用コンパクト容器を実現できた。右利きや左利きなどに影響されずに、利用者が使い勝手に応じた位置に保護シートを回して使用することができる。また、裏シートの中央開口が軸部材に嵌っているので保護シートを紛失することもない。本発明の化粧料受皿の外形は円形が適している。本発明は、円形の化粧料受皿収納部を有している化粧用コンパクト容器が適している。
２．中央部に開口が設けられた裏シートを有する円形の保護シートが、軸部材を中心に回動するシートとして適している。特に、馬蹄形のような一部に切欠を設けた円形とすることによって、変形自由度が大きくなって、回動抵抗が減少し、スムーズに回転させることができる。切欠を設ける場合は、抜け止めのために切欠き角度は１８０°より小さくする。好ましくは、１２０°以下にする。
３．軸部材は、保護シートの厚さよりも長い軸長を備えることによって、保護シートが回動する自由度を与えている。軸部材は、化粧料受皿裏面に形成する、コンパクト容器本体に形成する、又は、厚い接合部材で形成して構成することができる。化粧料受皿裏面やコンパクト容器本体に軸部材を形成する場合は、凸状に一体成形することができる。  
また、接合部材を発泡材などの緩衝性のある材料とすることによって、落下などのショックを和らげることができ、バルクの割れなどの障害を回避することができる。接合部材は、両面接着テープとして、化粧料受皿の裏面に貼り付けておくことができる。化粧料受皿とコンパクト容器本体の双方又は一方が鉄製金属である場合は磁石性シートを利用することもできる。
４．レフィル利用の化粧料受皿として提供する包装材として、軸部材を収容する凹部を設けることによって、化粧料受皿裏面に形成されている軸部材が凹部に嵌って安定性を発揮する。流通過程でがたつきなどの衝撃を吸収でき、安定性が向上する。軸部材は、化粧料受皿裏面に貼着された接合部材を含む。
【図面の簡単な説明】
【０００８】
【図１】保護シート付き化粧用コンパクト容器の断面概要図
【図２】保護シートを示す図
【図３】化粧料受皿＋化粧料受皿収納部セット断面図
【図４】保護シート・化粧料受皿・コンパクト容器組立図
【図５】レフィル容器・受皿収納図
【図６】コンパクト容器の例を示す図
【図７】従来例（特許文献３）を示す図
【図８】従来例（特許文献５）を示す図
【発明を実施するための形態】
【０００９】
本発明は、保護シートの紛失防止と使い勝手のよい化粧用コンパクト容器であり、その化粧用コンパクト容器に適用する保護シートとレフィル容器として流通に適した包装材に関する発明である。
本発明は、化粧料受皿とコンパクト容器本体の間に隙間ができるように軸部材を形成し、中央開口を設けた裏シートを軸部材に取り付けて、保護シートが回動自由になるようにしたものである。
本発明は、化粧用コンパクト容器の蓋の内側と化粧料受皿との間に保護シートを設けた化粧用コンパクト容器に適用される。化粧料受皿の外形は円形であり、化粧用コンパクトも、少なくとも化粧料受皿を収納する化粧料受皿収納部が円形に形成されている。保護シートは、化粧料受皿の表面側に配置される表シートと化粧料受皿の裏面側に配置される裏シートと、表シートと裏シートを接続する連結部を有している。そして、表裏のシートの基本形は円形であり、裏シートは中央部に中央開口を有していて、全円あるいは一部を切り欠いた円形である。化粧料受皿をコンパクト本体に取り付ける構成として、化粧料受皿の裏面と容器本体の間に軸部材を挟み、両者の間に保護シートの厚み以上の隙間を設けて接合する。接合する前に裏シートに設けられた中央開口を軸部材に嵌める。保護シートは、回動自由に設置されることとなる。
本発明の保護シートを設けた化粧用コンパクトは、左利き、右利きなどの利用者の個性などに応じて保護シートを回転させて利用することができ、利用者の好みに応じた使い勝手を提供する。
【００１０】
本発明に適用される化粧用コンパクト容器は、本体部に少なくとも化粧料受皿を収納する円形の化粧料受皿収納部を備えている。外形は、丸形でも角形でもよく、パフなどの化粧料塗布具の収納部が設けられていてもよい。少なくとも、化粧料受皿収納部の周壁が円形であると、保護シートが円形の化粧料受皿収納部の内側に沿って回動できる。
化粧用コンパクト容器は、本体部と蓋部を備え、蓋部の内面側に鏡が設けられている。材質は、合成樹脂製、金属製など従来と同様である。合成樹脂製の場合、化粧料受皿を係止する機構を化粧料受皿収納部の底面に形成することができる。
化粧料受皿収納部の底面には、軸部材となる凸状部を形成することができる。凸状部は
一体に形成することもでき、リング状突起壁、あるいは、円周上に３点以上の柱状突起に形成することができる。化粧料受皿の底面側に突起と嵌合する係止部を形成して組合せることもできる。
【００１１】
本発明に使用される化粧料受皿は、化粧料中皿とも称され、化粧用コンパクト容器の収納部に嵌め込んで使用される化粧料が充填された容器である。本発明では、外形が円形である。材質は金属製、合成樹脂製である。化粧料受皿の外形が円形であると、保護シートが化粧料受皿の外周面に沿って回転することができる。
化粧料受皿の裏面には、軸部材となる凸状部を形成することができる。凸状部は一体に形成することもでき、リング状突起壁、あるいは、円周上に３点以上の柱状突起に形成することができる。化粧料受皿収納部の裏面側に突起と嵌合する係止部を形成して組合せとすることもできる。なお、軸部材は、一体成形するほか、両面性接合部材の本体部を厚くして、一方の面を化粧料受皿の裏面側に貼着して、形成することもできる。この場合、他方の面側をコンパクト容器の化粧料受皿収納部の底面に貼り付けることとなる。
化粧料受皿は交換して使用するレフィル仕様にすることができる。レフィル仕様とする場合、流通過程でガタツキなどが生じないように安定した包装が重要であり、化粧料受皿の底部に突起状部を設け、該突起状部が嵌る凹部を包装容器に設けて、流通過程での安定化に利用することができる。
【００１２】
保護シートを回転させる軸部材は、前述のように化粧用コンパクト容器側に設けること、あるいは化粧料受皿側に設けることもできる。さらに、この両者のほか、厚みのある別部材で別体に接合部材を形成し、化粧用コンパクト容器側あるいは化粧料受皿側に貼り付けて形成することができる。
この場合、接合部材の厚み部分が軸部材を構成することとなる。また、接合部材は、発泡性材料などクッション性がある材料を採用すると、落下などのショックを吸収する機能を発揮できる。
接合部材が軸部材を形成する場合、化粧用コンパクト容器あるいは化粧料受皿は平面で良く、成型が容易になる。
【００１３】
保護シートは、基本形状が円形である表シートと裏シートを有し、両シートをつなぐ連結部を備えている。連結部は、表シートを開閉するので、開閉の障害にならない程度の幅である。
表シートは、化粧料受皿の表面を覆う程度の大きさを備えている。
裏シートは、軸部材の外径よりも大きな径の中央開口を備えたリング状の円形であり、円形の外形は軸部材の外形よりも大きく、化粧料受皿収納部の径よりも小さい。裏シートは軸部材を中心に回動させたときに、安定して回転させることができる程度の幅を備えていれば良い。裏シートの厚みにも左右される。
裏シートの外形は、全円あるいは切欠を形成することができる。切欠の角度は、裏シートが抜け出ないように１８０°未満である。抜止作用と円滑な回動には、切欠の角度は９０°〜１２０°が好ましい。全円の場合より、切欠を設けた場合の方が、裏シートに変形余裕が発生して、スムーズな回転ができる。
保護シートには、透明な合成樹脂製シートが適している。材料は、ＰＥＴ（ポリエチレンテレフタレート）やＰＰ（ポリプロピレン）が適している。シートの厚みは、特に限定は無いが、０．１〜０．４ｍｍが適当であり、０．２ｍｍ前後が好ましい。
【００１４】
レフィル用の包装材について
交換用の化粧料受皿は、シート状材料で成型された包装材（ケース）に収納された状態で流通している。流通過程で落下等の衝撃を受けることがあるが、化粧料受皿本体部の底部に軸部材受け凹部を形成し、この凹部に緩衝作用を持たせることにより、底部側からの衝撃を緩和することができる。さらに、軸部材を発泡材などの弾力性のある樹脂を芯とした接合部材で形成した場合は、接合部材も緩衝作用を発揮して、一層衝撃緩衝性が向上する。
【００１５】
図１に本発明の基本構成を示す。図１では、コンパクト容器の蓋は省略してあり、パフなどの塗布具収納部の有無は問わない。
コンパクト容器５と化粧料受皿３と保護シート１、化粧料受皿とコンパクト容器の底部の間に軸部材２が設けられている。保護シート１の裏シート１３には中央開口１５が形成されていて、中央開口１５を軸部材２が貫通している。裏シート１３は、化粧料受皿３の下面側にあり、表シート１１が化粧料受皿３の表面側にある。化粧料受皿３は円形であり、連結部１２は円形の表裏シートの一部分を繋いでいる。
軸部材２を中心に裏シート１３が回動可能であり、表シート１１を回動操作することによって、保護シート１が回転する。それによって、表シート１１の開く方向を変えることができる。  
【００１６】
図２に保護シートの例を示す。保護シート１の例として、穴あき円盤形である裏シートを有する全円保護シート１Ａ（ａ）と一部切欠が設けられている切欠保護シート１Ｂ（ｂ）を図示している。
全円保護シート１Ａは、円形の表シート１１と中央部に中央開口１５が形成されている穴あき円盤形の裏シート１３と表裏のシートを繋ぐ連結部１２から形成されている。中央開口１５は、軸部材の直径よりもやや大きく形成されている。連結部は、２回折り曲げられて、化粧料受皿の裏面と表面に沿うようになるので、表裏シートの連結部の折り曲げ線は円弧になり、開放部となる表シートでは、開き方向へ付勢されることとなる。この付勢力は、コンパクト容器を開けたとき、保護シートを浮かせることになり、保護シートを開きやすくなる。連結部の幅が広すぎると連結する円弧部分の折り曲げができなくなるので、連結部の幅は、折り曲げができる程度の幅にする。
切欠保護シート１Ｂは、全円保護シート１Ａに対して、円盤の一部に切欠１４を設け、裏シート１３を馬蹄形にしたものである。切り欠いて２つの辺にすることによって、それぞれの辺に変形の自由度が発生し、保護シート１を回動操作したときに何らかの抵抗が発生しても、変形して回避可能になり、保護シートをスムーズに回動操作できることとなる。
【００１７】
軸部材を化粧料受皿の裏面に形成した例を図３に示す。
図３に裏面に突起軸２２を形成した化粧料受皿３とこの化粧料受皿を受ける容器本体の収納部５４、および化粧料受皿と化粧料受皿収納部をセットした状態図が示されている。
（ａ）は円形の化粧料受皿３の裏面に化粧料受皿裏面突起軸２２が設けられている構成を示している。この化粧料受皿裏面突起軸２２の周面にはアンダーカットが施されていて、化粧料受皿収納部５４側と係合する。
（ｂ）は化粧料受皿収納部５４の中央底部に化粧料受皿裏面突起軸２２を受ける凹部と契合するアンダーカットが設けられている構成を示している。
（ｃ）は化粧料受皿３と化粧料受皿収納部５４が形成された容器本体５３をセットした状態が示されている。両者のアンダーカットが係合して、組み合わせられている。化粧料受皿収納部５４の底部と化粧料受皿３の裏面との間には保護シート受け隙間２４が形成されている。
この図示の例では、化粧料受皿と容器本体は軸部材と化粧料受皿収納部を、アンダーカットを利用して組み付けている。アンダーカットなどの組み付け構造ではなく、軸部材と化粧料受皿収納部を粘着材などで貼り付けることもできる。
【００１８】
図４に化粧用コンパクト容器５の実施態様１を示す。保護シート１は図２（ｂ）の切欠保護シート１Ｂを採用し、外形が円形のコンパクト容器５の基本断面は、図１に示されている。
図４は、コンパクト容器５を組み立てる順にしたがって説明している。（ａ）は切欠保護シート１Ｂの平面図と折り曲げた状態を示している。保護シート１を折り曲げると折り曲げ部が円弧になっている連結部によって、表シート１１が自然に斜めになる。（ｂ）は円形の化粧料受皿３の斜視図と軸部材２が貼り付けられている状態を示す側面図を表している。（ｃ）は保護シート１と化粧料受皿３が組み合わされた状態を示している。（ｄ−１）は、外形が円形のコンパクト容器５を示している。（ｄ−２）は、化粧料受皿収納部５４が円形であり、隣に塗布具収納部５７を備えた外形が楕円形のコンパクト容器を示している。（ｅ−１）と（ｅ−２）は、それぞれのコンパクト容器に保護シートと化粧料受皿を装着した状態を示している。
【００１９】
化粧料受皿３は円形皿で固形状の化粧料が充填されている。この例では、化粧料受皿３の裏面中央部に円形の発泡材を芯にした軸部材２が貼り付けられている。軸部材２の表面には粘着材が付着されていて、表面に剥離シートが設けられている。軸部材２は保護シートよりも厚さが大きいものを採用している。
（ｃ）に保護シート１と化粧料受皿３を組み合わせた斜視図が表示されている。保護シート１の裏シート１３が化粧料受皿３の裏面に沿い、連結部１２が裏シート１３と表シート１１の境界で屈曲して、表シート１１が化粧料受皿３の表面側に斜めに被さっている。背面図では化粧料受皿３の外形とほぼ同径の裏シート１３であって、中央開口１５に軸部材２が納まっており、約１２０°の切欠１４が形成されている。
（ｄ−１）に円形のコンパクト容器５が示されている。円形の化粧料受皿収納部５４が設けられた容器本体５３と鏡が内面側に設けられている蓋５１でコンパクト容器５が形成されている。このコンパクト容器に（ｃ）に示されている保護シート１と組み合わされた化粧料受皿３がセットされる。この場合、接合部材２１をカバーしている剥離シートをはがして、化粧料受皿収納部５４の底面に貼り付ける。接合部材２１の芯の厚み分の隙間ができるので、保護シート１を回動させることができる。
（ｅ−２）に円形の化粧料受皿収納部５４とＤ字型の塗布具収納部５７が形成された容器本体５３と鏡５２が内面に設けられた蓋５１を備えた楕円形のコンパクト容器５が示されている。この化粧料受皿収納部５４に、（ｃ）に示されている保護シート１と組み合わされた化粧料受皿３をセットすることによって、（ｅ−１）のコンパクト容器と同様に、保護シート１を回動させることができる。
【００２０】
＜レフィル容器の例＞
本発明の化粧料受皿を収納したレフィル容器の包装材には、軸部材を収納する凹部が形成されている。この凹部が化粧料受皿の裏面側の緩衝となって、化粧料受皿に充填されている固形化粧料に加わる衝撃を緩和している。レフィル容器の包装材は、本体部と蓋部を有しており、化粧料受皿は、上面が蓋部、側面が本体部と蓋部のあわせ部によって保護されるが、底側は包装材も平面になって、落下などのショックが化粧料受皿に直接加わりやすい構造である。軸部材を収納する凹部は、包装材の外面側では凸部となり、軸受部との間にも隙間ができて、緩衝層を形成する。また、軸受部が凹部で横ずれが規制されるので、包装材の周面と直接接触することを防止でき、側面衝撃にも強くなる。
軸部材をクッション性のある接合部材で形成するとさらに緩衝作用が向上する。
【００２１】
図５にレフィル容器４の例を示す。
レフィル容器４を形成する包装材４１は薄いプラスチックである。
（ａ）にレフィル容器４を形成する包装材４１が示されている。包装材４１は、円形の箱形の包装材本体部４４と包装材蓋部４５から構成され、包装材本体部４４の底部の中央には軸部材受け凹部４２が形成されている。
（ｂ）に、化粧料受皿３を収納した状態が示されている。化粧料受皿３が、包装材本体部４４に収納され、化粧料受皿３の裏面の軸部材２が軸部材受け凹部４２に納まっている。上面側は包装材蓋部４５で被覆されている。
【００２２】
＜円形コンパクト容器の例＞
図６にパフなどの塗布具収納部を設けた円形のコンパクト容器５の例を示す。
このコンパクト容器５は、収納部が上下２段になっていて、上段に化粧料受皿３が収納される化粧料受皿収納部５４があり、下段に塗布具が収納される塗布具収納部５７がある。化粧料受皿収納部５４の上には蓋５１があり、蓋５１の内面には鏡５２が取り付けられている。
【００２３】
化粧料受皿収納部５４には、化粧料受皿３が収納されており、化粧料受皿３の裏面には軸部材２があって、軸部材２が化粧料受皿収納部５４の底面に接合されている。保護シート１の表シート１１が化粧料受皿３の表面側にあり、裏シート１３が裏面側にあり、両シートが連結部１２で連結されている。裏シート１３に設けられている中央開口１５を軸部材２が通過している。軸部材２と中央開口１５の間には余裕があり、軸部材２の厚みによって化粧料受皿収納部５４の底面と化粧料受皿３の裏面との間にも隙間があるので、保護シート１は表シート１１を操作することによって回動させることができる。これによって、保護シート１の位置を利用者がコンパクトを使いやすい位置に移動させることができ、コンパクトが使用しやすくなるとともに、保護シートを取り外して、紛失することも無くなるので、コンパクトを綺麗に使用することができるようになる。
塗布具収納部５７には、パフなどの塗布具５８が収納されている。塗布具収納部５７はヒンジによって化粧料受皿収納部５４との間で蓋のように開くことができる。
【符号の説明】
【００２４】
１    保護シート
１Ａ  全円保護シート
１Ｂ  切欠保護シート
１１  円形保護面    表シート
１２  連結部
１３  回転・結合部    裏シート
１４  切欠
１５  中央開口
２    軸部材
２１  接合部材
２２  化粧料受皿裏面突起軸
２４  保護シート受け隙間
３    化粧料受皿
４    レフィル容器
４１  包装材
４２  軸部材受け凹部
４３  化粧料受皿収容部
４４  包装材本体部
４５  包装材蓋部
５    コンパクト容器
５１  蓋
５２  鏡
５３  容器本体
５４  化粧料受皿収納部
５５  収納部底部
５７  塗布具収納部
５８  塗布具
６    化粧料
【図１】
2020010730.tif 000003
【図２】
2020010730.tif 000004
【図３】
2020010730.tif 000005
【図４】
2020010730.tif 000006
【図５】
2020010730.tif 000007
【図６】
2020010730.tif 000008
【図７】
2020010730.tif 000009
【図８】
2020010730.tif 000010